(57)【要約】【課題】テレビ放送受信可能な携帯電話において、テレビ放送受信用のアンテナの引き出し作業を容易とする。【解決手段】筐体１に設けられたアンテナ収容穴１４にはコイネバネ１５、シャフト１６およびパイプ状のアンテナ１７が収容される。シャフト１６はアンテナ１７内に配置され、その先端部のストッパ部２２によってアンテナ１７の最大引き出し量を規制する。アンテナ１７の先端部は、筐体１に設けられた外部コネクタ挿入穴１３を覆うためのコネクタカバー４にねじ込まれる。コネクタカバー４は、筐体１に設けられた切欠部３の部分にロックされる。アンテナ１７を引き出す場合には、コネクタカバー４を挟持して反時計方向に回動させ、手前に引っ張る。これにより、コネクタカバー４と筐体１との間に指の爪を引っ掛けるための隙間がなくても、アンテナ１７の引き出し作業を容易とすることができる。【選択図】図２
2013138335.tif 000002
【特許請求の範囲】
【請求項１】
筐体と、前記筐体の角部に前記筐体の厚さ方向全体に亘って設けられた切欠部と、前記切欠部によって露出された前記筐体の側壁に設けられた直線状のアンテナ収容穴および外部コネクタ挿入穴と、前記アンテナ収容穴に引き出し可能に収容された直線状のアンテナと、前記アンテナの先端部に設けられ、前記筐体の前記切欠部の部分に配置されたとき、前記外部コネクタ挿入穴を覆うコネクタカバーと、前記コネクタカバーが前記筐体の前記切欠部の部分に配置されたとき、前記コネクタカバーをロックするロック手段とを備え、前記コネクタカバーを前記アンテナと共に前記アンテナの中心軸を中心にして回動させると、前記ロック手段によるロックが解除されることを特徴とする携帯型電子機器。
【請求項２】
請求項１に記載の発明において、前記アンテナはパイプ状であり、前記アンテナ収容穴内に固定して配置されたシャフトの外周部に摺動可能に配置され、前記シャフトの先端部に前記アンテナの最大引き出し量を規制するストッパ部が設けられていることを特徴とする携帯型電子機器。
【請求項３】
請求項２に記載の発明において、前記アンテナ収容穴の奥部と前記アンテナの基端部との間において前記シャフトの外周部にコイルバネまたは円筒形状のゴム部材が設けられていることを特徴とする携帯型電子機器。
【請求項４】
請求項１〜３のいずれかに記載の発明において、前記ロック手段は、前記コネクタカバーが前記筐体の前記切欠部の部分にロックされて配置された状態において、前記コネクタカバーの一方への回動を許容し、他方への回動を阻止するようになっていることを特徴とする携帯型電子機器。
【請求項５】
請求項１〜４のいずれかに記載の発明において、前記コネクタカバーが前記筐体の前記切欠部の部分にロックされて配置された状態において、前記アンテナ収容穴および前記外部コネクタ挿入穴を防水する防水手段を有することを特徴とする携帯型電子機器。
【発明の詳細な説明】
【技術分野】
【０００１】
この発明は携帯型電子機器に関し、例えば、テレビ放送受信機能を備えた携帯電話等の携帯型電子機器に関する。
【背景技術】
【０００２】
例えば、テレビ放送受信機能を備えた携帯電話では、テレビ放送を受信するために、それ専用のアンテナを必要とする。従来のこのような携帯電話には、筐体の側壁に設けられたアンテナ収容溝に筒状のアンテナ収容部材がその基端部を中心にして回動可能となるように収容され、アンテナ収容部材内に棒状のアンテナが収容され、アンテナの先端部がアンテナ収容部材の先端部の外側に突出されたものがある（例えば、特許文献１参照）。
【０００３】
特許文献１に記載の携帯電話では、アンテナをテレビ放送受信可能な状態とする場合には、まずアンテナ収容部材をその基端部を中心にして回動させて筐体の溝から突出させ、次いでアンテナ収容部材の先端部の外側に突出されたアンテナの先端部を挟持して引き出すと、アンテナをテレビ放送受信可能な状態とすることができる。
【０００４】
また、アンテナを引き出した状態では、筐体のアンテナ収容溝の部分に設けられた外部コネクタ挿入穴が露出され、この外部コネクタ挿入穴に外部コネクタを挿入すると、外部コネクタ挿入穴の奥に設けられたコネクタ端子に外部コネクタを接続することができるようになっている。一方、筐体のアンテナ収容溝内にアンテナを含むアンテナ収容部材を収容した状態では、アンテナ収容部材で外部コネクタ挿入穴を覆うことができるようになっている。すなわち、アンテナ収容部材は外部コネクタ挿入穴を覆うためのコネクタカバーを兼ねている。
【先行技術文献】
【特許文献】
【０００５】
【特許文献１】特開２００９−１１８０１９号公報
【発明の概要】
【発明が解決しようとする課題】
【０００６】
しかしながら、上記従来の携帯電話では、外観を良くするため、筐体のアンテナ収容溝内に収容されたアンテナ収容部材と筐体のアンテナ収容溝の壁面との間の隙間を狭くする必要があるが、この隙間が狭すぎると、この隙間に指の爪を引っ掛けにくくなり、ひいてはアンテナの引き出し作業が困難になってしまうという問題がある。
【０００７】
そこで、この発明は、アンテナ引き出し用のコネクタカバーと筐体との間の隙間が可及的に狭くても、アンテナの引き出し作業を容易とすることができる携帯型電子機器を提供することを目的とする。
【課題を解決するための手段】
【０００８】
この発明に係る携帯型電子機器は、筐体と、前記筐体の角部に前記筐体の厚さ方向全体に亘って設けられた切欠部と、前記切欠部によって露出された前記筐体の側壁に設けられた直線状のアンテナ収容穴および外部コネクタ挿入穴と、前記アンテナ収容穴に引き出し可能に収容された直線状のアンテナと、前記アンテナの先端部に設けられ、前記筐体の前記切欠部の部分に配置されたとき、前記外部コネクタ挿入穴を覆うコネクタカバーと、前記コネクタカバーが前記筐体の前記切欠部の部分に配置されたとき、前記コネクタカバーをロックするロック手段とを備え、前記コネクタカバーを前記アンテナと共に前記アンテナの中心軸を中心にして回動させると、前記ロック手段によるロックが解除されることを特徴とするものである。
【発明の効果】
【０００９】
この発明によれば、アンテナ引き出し用のコネクタカバーと筐体との間の隙間が可及的に狭くても、アンテナの引き出し作業を容易とすることができる。
【図面の簡単な説明】
【００１０】
【図１】この発明の第１実施形態としての携帯電話の斜視図。
【図２】図１に示すコネクタカバーの部分を分解した斜視図。
【図３】図２に示すシャフトの斜視図。
【図４】図２に示すコネクタカバーとアンテナの一体化した状態を右側から見た斜視図。
【図５】図４のＶ−Ｖ線に沿う断面図。
【図６】図１のVI−VI線に沿う断面図。
【図７】アンテナを引き出す場合の当初の状態を説明するために示すもので、一部の斜視図。
【図８】図７の状態における図６同様の断面図。
【図９】図７に続くアンテナ引き出し状態を説明するために示すもので、一部の斜視図。
【図１０】図９の状態における図６同様の断面図。
【図１１】図９に続くアンテナ引き出し状態を説明するために示すもので、一部の斜視図。
【図１２】図１１の状態における図６同様の断面図。
【図１３】この発明の第２実施形態としての携帯電話のコネクタカバーおよびアンテナの斜視図。
【発明を実施するための形態】
【００１１】
（第１実施形態）
図１はこの発明の第１実施形態としての携帯電話の斜視図を示す。この携帯電話は筐体１を備えている。筐体１の上面の中央部にはタッチパネルを兼ねた表示部２が設けられている。筐体１の左下角部には後述する切欠部３が設けられている。切欠部３には後述するコネクタカバー４が設けられている。
【００１２】
次に、図２は図１に示すコネクタカバー４の部分を分解した斜視図を示す。筐体１の左下角部にはほぼ立方体形状の切欠部３が筐体１の厚さ方向全体に亘って設けられている。切欠部３によって露出された筐体１の一方の側壁にはほぼＴ字形状の切り欠きが設けられ、このほぼＴ字形状の切り欠きのうち、縦棒の部分によって係止溝１１が形成され、横棒の部分によってストッパ面１２が形成されている。
【００１３】
切欠部３によって露出された筐体１の他方の側壁の右側には断面長方形状の外部コネクタ挿入穴１３が設けられている。外部コネクタ挿入穴１３の奥にはコネクタ端子（図示せず）が設けられている。切欠部３によって露出された筐体１の他方の側壁の左側には断面円形状のアンテナ収容穴１４が直線的に設けられている。アンテナ収容穴１４にはコイルバネ１５、シャフト１６および直線状のアンテナ１７が後述の如く挿入される。
【００１４】
次に、図３は図２に示すシャフト１６の斜視図を示す。シャフト１６はニッケルチタン合金等からなる丸棒からなり、その基端部にはネジ２１が設けられ、その先端部には大径の丸棒からなるストッパ部２２が設けられている。ストッパ部２２の先端面には、プラスドライバの先端部を嵌め込むための十字溝２３が設けられている。
【００１５】
次に、図４は図２に示すコネクタカバー４とアンテナ１７の一体化した状態を右側から見た斜視図を示し、図５は図４のＶ−Ｖ線に沿う断面図を示す。アンテナ１７はステンレス鋼等からなるパイプによって形成されている。アンテナ１７の基端部の内側には円孔２４を有するストッパ用フランジ２５が設けられている。アンテナ１７の先端部にはネジ２６が設けられている。アンテナ１７のネジ２６は、ＡＢＳ樹脂等からなるコネクタカバー４の所定の箇所にねじ込まれている。
【００１６】
コネクタカバー４はほぼ立方体形状であり、その図４における右面（図２に示す係止溝１１およびストッパ面１２と対向する面）にはほぼＴ字形状の突起が設けられ、このほぼＴ字形状の突起のうち、縦棒の部分によって係止片２７が形成され、横棒の部分によってストッパ片２８が形成されている。
【００１７】
次に、図６は図１のVI−VI線に沿う断面図を示す。この場合、コネクタカバー４は、図示の都合上、断面していない（以下、同様の図において同じ）。アンテナ１７は筐体１のアンテナ収容穴１４内に最大に挿入されて収容されている。シャフト１６はアンテナ１７の内部に配置され、そのネジ２１の部分はアンテナ１７の円孔２４を挿通されてアンテナ１７の外部に突出されている。この突出されたネジ２１はアンテナ収容穴１４の奥部にねじ込まれている。
【００１８】
この状態では、シャフト１６のストッパ部２２はアンテナ収容穴１４の入口よりもやや入ったところに配置されている。アンテナ収容穴１４の奥部とアンテナ１７の基端部との間におけるシャフト１６の外周部にはコイルバネ１５が圧縮された状態で設けられている。シャフト１６のネジ２１の先端面は、詳細には図示していないが、筐体１内に設けられた回路基板に設けられた給電端子に接触されている。
【００１９】
次に、コネクタカバー４について、図２および図４を参照して説明する。コネクタカバー４の係止片２７は筐体１の係止溝１１に嵌合されて係止され、コネクタカバー４のストッパ片２８は筐体１のストッパ面１２に当接されている。この状態では、コネクタカバー４の係止片２７が筐体１の係止溝１１に嵌合されて係止されていることにより、コネクタカバー４は筐体１に対してロックされている。
【００２０】
ここで、筐体１の係止溝１１、ストッパ面１２およびコネクタカバー４の係止片２７、ストッパ片２８によりロック手段が構成されている。このロック手段では、コネクタカバー４のストッパ片２８が筐体１のストッパ面１２に当接されていることにより、図１において、コネクタカバー４の反時計方向への回動は許容するが、時計方向への回動は阻止するようになっている。
【００２１】
ところで、図１および図６はアンテナ１７を筐体１のアンテナ収容穴１４に収容した状態を示す。次に、この状態からアンテナ１７を引き出す場合について説明する。まず、図１において、コネクタカバー４を指で挟持してアンテナ１７の中心軸を中心として反時計方向に回動させると、図７および図８に示すようになる。この場合、図７は携帯電話の一部の斜視図を示し、図８は図７の状態における図６同様の断面図を示す。図７および図８においては、コネクタカバー４の係止片２７が筐体１の係止溝１１から抜け出て、コネクタカバー４に対するロックが解除される。
【００２２】
次に、コネクタカバー４から指を離すと、図９および図１０に示すようになる。この場合、図９は携帯電話の一部の斜視図を示し、図１０は図９の状態における図６同様の断面図を示す。図９および図１０においては、コイルバネ１５が元の状態に戻ろうとする力により、アンテナ１７がコネクタカバー４と共にアンテナ収容穴１４から引き出される方向に自動的にある程度移動される。
【００２３】
次に、コネクタカバー４を指で挟持してアンテナ１７と共にさらに引き出すと、図１１および図１２に示すようになる。この場合、図１１は携帯電話の一部の斜視図を示し、図１２は図１１の状態における図６同様の断面図を示す。図１１および図１２においては、アンテナ１７のストッパ用フランジ２５がシャフト１６のストッパ部２２に係止され、アンテナ１７をそれ以上引き出すことができなくなる。したがって、この状態では、アンテナ１７はアンテナ収容穴１４から最大に引き出された状態となる。また、この状態では、図１１に示すように、外部コネクタ挿入穴１３が露出されているので、この露出された外部コネクタ挿入穴１３に外部コネクタ（図示せず）を挿入することが可能となる。
【００２４】
次に、アンテナ１７をアンテナ収容穴１４に収容する場合について説明する。まず、図１１に示す、アンテナ１７が最大に引き出された状態におけるコネクタカバー４を押して、図７および図８に示すように、切欠部３によって露出された筐体１の所定の側壁に当接させ、アンテナ１７をアンテナ収容穴１４に収容する。次に、図７において、コネクタカバー４を挟持してアンテナ１７の中心軸を中心として時計方向に回動させ、コネクタカバー４の係止片２７を筐体１の係止溝１１に嵌合させて係止させ、且つ、コネクタカバー４のストッパ片２８を筐体１のストッパ面１２に当接させると、図１および図６に示す状態となる。
【００２５】
以上のように、この携帯電話では、図１に示す状態において、アンテナ１７を引き出す場合には、コネクタカバー４を挟持して反時計方向に回動させ、手前に引っ張ればよく、コネクタカバー４と筐体１との間に指の爪を引っ掛けるための隙間がなくても、アンテナ１７の引き出し作業を容易とすることができる。したがって、コネクタカバー４と筐体１との間の隙間を可及的に狭くしても問題はなく、外観を良くすることができる。
【００２６】
また、図１に示す状態から図７に示す状態にした後に、コイルバネ１５が元の状態に戻ろうとする力により、アンテナ１７をコネクタカバー４と共に自動的にある程度突出させることができるので、図７に示す状態にした後におけるアンテナ１７の引き出し作業をより一層容易とすることができる。
【００２７】
ここで、コイルバネ１５の代わりに、円筒形状のゴム部材を用いるようにしてもよい。また、コイルバネ１５あるいは円筒形状のゴム部材を省略し、アンテナ１７を引き出す場合には、図１においてコネクタカバー４を挟持して反時計方向に回動させ、手前に引っ張るようにしてもよい。このようにした場合でも、アンテナ１７の引き出し作業を容易とすることができる。
【００２８】
（第２実施形態）
図１３はこの発明の第２実施形態としての携帯電話のコネクタカバー４およびアンテナ１７の斜視図を示す。この携帯電話では、コネクタカバー４のアンテナ１７がねじ込まれた部分の周囲に断面半円形状の溝３１がリング状に設けられている。溝３１にはＯリング３２が固着されている。溝３１の左側におけるコネクタカバー４には方形状のゴム等からなる防水シート３３が固着されている。
【００２９】
一方、図示していないが、図２を参照して説明すると、アンテナ収容穴１４の周囲における筐体１の壁面には、Ｏリング３２が圧接される断面半円形状の溝が設けられている。外部コネクタ挿入穴１３の部分における筐体１の壁面には、防水シート３３が圧接される凹部が設けられている。これにより、コネクタカバー４が筐体１の切欠部３の部分にロックされて配置された状態において、アンテナ収容穴１４および外部コネクタ挿入穴１３は防水されるようになっている。
【００３０】
なお、アンテナ収容穴１４および外部コネクタ挿入穴１３の各周囲における筐体１の壁面にそれぞれ断面半円形状の溝をリング状に設け、これらの溝にＯリングを固着し、これらのＯリングに対応する部分におけるコネクタカバー４にそれぞれ断面半円形状の溝をリング状に設けるようにしてもよい。また、例えば、アンテナ収容穴１４および外部コネクタ挿入穴１３の周囲における筐体１の壁面に断面半円形状の溝を１つリング状に設け、この溝にＯリングを固着し、このＯリングに対応する部分におけるコネクタカバー４に断面半円形状の溝を１つリング状に設けるようにしてもよい。
【００３１】
なお、この発明は、テレビ放送を受信可能な携帯電話に限らず、ポータブルテレビ、ポータブルラジオ、テレビ放送等を受信可能なノートパソコン等の携帯型電子機器にも適用することができる。
【００３２】
以下、この発明の諸態様を付記としてまとめて記載する。
【００３３】
（付記１）
付記１の発明は、筐体と、前記筐体の角部に前記筐体の厚さ方向全体に亘って設けられた切欠部と、前記切欠部によって露出された前記筐体の側壁に設けられた直線状のアンテナ収容穴および外部コネクタ挿入穴と、前記アンテナ収容穴に引き出し可能に収容された直線状のアンテナと、前記アンテナの先端部に設けられ、前記筐体の前記切欠部の部分に配置されたとき、前記外部コネクタ挿入穴を覆うコネクタカバーと、前記コネクタカバーが前記筐体の前記切欠部の部分に配置されたとき、前記コネクタカバーをロックするロック手段とを備え、前記コネクタカバーを前記アンテナと共に前記アンテナの中心軸を中心にして回動させると、前記ロック手段によるロックが解除されることを特徴とする携帯型電子機器である。
【００３４】
（付記２）
付記２の発明は、付記１に記載の発明において、前記アンテナはパイプ状であり、前記アンテナ収容穴内に固定して配置されたシャフトの外周部に摺動可能に配置され、前記シャフトの先端部に前記アンテナの最大引き出し量を規制するストッパ部が設けられていることを特徴とする携帯型電子機器である。
【００３５】
（付記３）
付記３の発明は、付記２に記載の発明において、前記アンテナ収容穴の奥部と前記アンテナの基端部との間において前記シャフトの外周部にコイルバネまたは円筒形状のゴム部材が設けられていることを特徴とする携帯型電子機器である。
【００３６】
（付記４）
付記４の発明は、付記１〜３のいずれかに記載の発明において、前記ロック手段は、前記コネクタカバーが前記筐体の前記切欠部の部分にロックされて配置された状態において、前記コネクタカバーの一方への回動を許容し、他方への回動を阻止するようになっていることを特徴とする携帯型電子機器である。
【００３７】
（付記５）
付記５の発明は、付記１〜４のいずれかに記載の発明において、前記コネクタカバーが前記筐体の前記切欠部の部分にロックされて配置された状態において、前記アンテナ収容穴および前記外部コネクタ挿入穴を防水する防水手段を有することを特徴とする携帯型電子機器である。
【符号の説明】
【００３８】
１  筐体
２  表示部
３  切欠部
４  コネクタカバー
１１  係止溝
１２  ストッパ面
１３  外部コネクタ挿入穴
１４  アンテナ収容穴
１５  コイルバネ
１６  シャフト
１７  アンテナ
２２  ストッパ部
２５  ストッパ用フランジ
【図１】
2013138335.tif 000003
【図２】
2013138335.tif 000004
【図３】
2013138335.tif 000005
【図４】
2013138335.tif 000006
【図５】
2013138335.tif 000007
【図６】
2013138335.tif 000008
【図７】
2013138335.tif 000009
【図８】
2013138335.tif 000010
【図９】
2013138335.tif 000011
【図１０】
2013138335.tif 000012
【図１１】
2013138335.tif 000013
【図１２】
2013138335.tif 000014
【図１３】
2013138335.tif 000015